(57)【特許請求の範囲】
【請求項１】
本体を含み、前記本体は作業空間を含み、前記作業空間の中は固定ブロックを含み、前記固定ブロックの中には第一スライド溝が形成され、前記第一スライド溝の中は装丁機構を含み、前記第一スライド溝の中には第一スライドブロックがスライドできるように設置され、前記第一スライドブロックの左側には第一開口溝が形成され、前記第一開口溝の中には第一回転軸が設置され、前記第一回転軸には第一歯車が設置され、前記第一歯車の後側の前記第一スライド溝の後端壁には前記第一歯車と噛み合った第一ラックが固定的に設置され、前記第一スライドブロックの中には連動空間が設置され、前記連動空間の中に位置した前記第一回転軸には第一傘歯車が設置され、前記連動空間の中には第二回転軸が設置され、前記連動空間の中に位置した前記第二回転軸には前記第一傘歯車と噛み合った第二傘歯車が固定的に設置され、前記第一スライドブロックの底端壁には三つの外部連結ブロックが固定的に設置され、前記外部連結ブロックの中には第二開口溝が形成され、前記第二開口溝の中に位置した前記第二回転軸には第二歯車が固定的に設置され、三つの前記第二歯車の間にはチェーンが回転できるように設置され、前記第二回転軸の底端にはドリルが固定的に設置され、前記第一スライドブロックの頂端には第一連結ロッドが固定的に設置されており、
前記固定ブロックの下側にはスライドブロックが設置され、前記スライドブロックの中には第二スライド溝が形成され、前記第二スライド溝の中は接着剤装丁機構を含み、前記第二スライド溝の中には第二スライドブロックがスライドできるように設置され、前記第二スライドブロックの後端と前記第二スライド溝の後端面との間にはばねが連結され、前記第二スライドブロックの中には第三スライド溝が形成され、前記第三スライド溝の中には左右対称となった第三スライドブロックがスライドできるように設置され、前記第三スライドブロックには第二ラックが設置され、前記第三スライドブロックの外端には第二連結ロッドが固定的に設置され、前記第二連結ロッドには加熱ブロックが固定的に設置され、前記第三スライド溝の中には第三回転軸が回転できるように設置され、前記第三回転軸には前記第二ラックと噛み合った第三歯車が固定的に設置され、前記第三歯車の外側の前記第三回転軸には第一摩擦輪が固定的に設置されており、
前記第一連結ロッドには第三ラックが固定的に設置され、前記第一連結ロッドの左側には第四回転軸が設置され、前記第四回転軸には第一扇状歯車が固定的に設置され、前記第一扇状歯車の前段には第四歯車が固定的に設置され、前記第一連結ロッドの右側には第五回転軸が設置され、前記第五回転軸には第二扇状歯車が固定的に設置され、前記第二扇状歯車の前部には第五歯車が固定的に設置され、前記第五歯車と前記第四歯車との間には伝動チェーンが回転できるように設置され、前記第一扇状歯車と、前記第二扇状歯車が前記第三ラックと噛み合うことができ、前記第一スライドブロックと前記第二スライドブロックとの間には線が連結されており、
前記スライドブロックの下側の前記作業空間の底端壁には置き溝が形成され、前記置き溝の中には接着剤棒が設置され、前記作業空間の前端壁には紙入り口が設置され、前記紙入り口の頂端壁には第六回転軸が回転できるように設置され、前記第六回転軸の底端には押し輪が固定的に設置され、前記第六回転軸にはおねじが設置され、前記紙入り口の頂端壁にはめねじが設置され、前記第六回転軸の頂端には回転輪が固定的に設置されており、
前記作業空間の右端壁には伝動空間が設置され、前記伝動空間の中には第七回転軸が設置され、前記第七回転軸の右側には第三傘歯車が設置され、前記第七回転軸の左端には第二摩擦輪が設置され、前記第二摩擦輪が前記第一摩擦輪と摩擦できるように連結されており、
前記伝動空間の後端壁にはモータが設置され、前記モータの前端面には第八回転軸が設置され、前記第八回転軸の前部には前記第三傘歯車と噛み合った第四傘歯車が固定的に設置され、前記第八回転軸の後側には第六歯車が設置され、前記第五回転軸の後端には第七歯車が設置され、前記第七歯車と前記第六歯車との間には連結チェーンが回転できるように設置されており、
装丁待ちの紙を前記紙入り口から挿入し、手動で前記回転輪を旋転させ、前記回転輪が旋転して前記第六回転軸を回転させ、前記第六回転軸が回転して前記めねじと前記おねじとの噛合により前記押し輪を旋転させて下降させて紙を挟み、
前記モータを始動し、前記モータが前記第八回転軸を回転させ、前記第八回転軸が回転して前記第六歯車を回転させ、前記第六歯車が回転して前記連結チェーンにより前記第七歯車を回転させ、前記第七歯車が回転して前記第五回転軸を回転させ、前記第五回転軸が回転して前記第五歯車を回転させ、前記第五歯車が回転して前記伝動チェーンにより前記第四歯車を回転させ、前記第四歯車が回転して前記第四回転軸を回転させ、前記第四回転軸が回転して前記第一扇状歯車を回転させ、前記第五回転軸が回転して前記第二扇状歯車を回転させ、前記第一扇状歯車が前記第三ラックと噛み合うとき前記第一連結ロッドを下方へ移動させ、前記第二扇状歯車が前記第三ラックと噛み合うとき前記第一連結ロッドを上方へ移動させ、
前記第一連結ロッドが下方へ移動するとき、前記第一連結ロッドが前記第一スライドブロックを下方へスライドさせ、前記第一スライドブロックが下方へスライドして前記第一ラックと前記第一歯車との協働により前記第一回転軸を回転させ、前記第一回転軸が回転して前記第一傘歯車を回転させ、前記第一傘歯車が回転して前記第二傘歯車により前記第二回転軸を回転させ、前記第二回転軸が回転して前記第二歯車と前記チェーンにより左右両側の前記第二回転軸を回転させ、前記第二回転軸が回転して前記ドリルを回転させ、前記ドリルが回転して前記第一スライドブロックとともに下方へ移動して紙に穴を開け、前記ドリルが最底端まで下降したとき、前記第二扇状歯車が前記第三ラックと噛み合い、このとき前記第一スライドブロックが上方へ移動し、このとき前記ドリルが前記置き溝の中の前記接着剤棒を引掛って前記接着剤棒を上方へ移動させ、前記接着剤棒が紙を通し、
前記第一スライドブロックが上方へスライドして前記線により前記第二スライドブロックを前方へスライドさせ、前記第八回転軸が回転して前記第四傘歯車により前記第三傘歯車を回転させ、前記第三傘歯車が回転して前記第七回転軸を回転させ、前記第七回転軸が回転して前記第二摩擦輪を回転させ、前記第二スライドブロックが前方へ移動するとき、前記第二摩擦輪が前記第一摩擦輪と接触して前記第一摩擦輪を回転させ、前記第一摩擦輪が回転して前記第三回転軸により前記第三歯車を回転させ、前記第三歯車が回転して前記第二ラックとの協働により前記第三スライドブロックを内部へスライドさせ、前記第三スライドブロックが内部へスライドして前記第二連結ロッドにより前記加熱ブロックを内部へ移動させ、このとき前記加熱ブロックが起動されて前記接着剤棒を柔らかくして紙を装丁することを特徴とする紙装丁自動融合設備。
【発明の詳細な説明】
【技術分野】
【０００１】
本発明は紙装丁分野を取り上げて、具体的には紙装丁自動融合設備である。
【背景技術】
【０００２】
周知のように、製本機は紙をステープルまたはホットメルト接着剤で綴じる機械であり、製本機を使用すると紙の使用が非常に容易になり、しかし、現在の製本機で綴じられた紙が落ちやすく、ページをめくりにくく、従って、上記問題を解決するために、紙装丁自動融合設備を設計する必要がある。
【先行技術文献】
【特許文献】
【０００３】
【特許文献１】中国特許出願公開第１０２７６２３８７号明細書
【発明の概要】
【発明が解決しようとする課題】
【０００４】
本発明の目的は紙装丁自動融合設備を提供し、それは上記の現在の技術中の問題を解決できる。
【課題を解決するための手段】
【０００５】
本願発明は以下の技術プランを通じて実現する。
【０００６】
紙装丁自動融合設備は、本体を含み、前記本体は作業空間を含み、
前記作業空間の中は固定ブロックを含み、前記固定ブロックの中には第一スライド溝が形成され、前記第一スライド溝の中は装丁機構を含み、前記第一スライド溝の中には第一スライドブロックがスライドできるように設置され、前記第一スライドブロックの左側には第一開口溝が形成され、前記第一開口溝の中には第一回転軸が設置され、前記第一回転軸には第一歯車が設置され、前記第一歯車の後側の前記第一スライド溝の後端壁には前記第一歯車と噛み合った第一ラックが固定的に設置され、前記第一スライドブロックの中には連動空間が設置され、前記連動空間の中に位置した前記第一回転軸には第一傘歯車が設置され、前記連動空間の中には第二回転軸が設置され、前記連動空間の中に位置した前記第二回転軸には前記第一傘歯車と噛み合った第二傘歯車が固定的に設置され、前記第一スライドブロックの底端壁には三つの外部連結ブロックが固定的に設置され、前記外部連結ブロックの中には第二開口溝が形成され、前記第二開口溝の中に位置した前記第二回転軸には第二歯車が固定的に設置され、三つの前記第二歯車の間にはチェーンが回転できるように設置され、前記第二回転軸の底端にはドリルが固定的に設置され、前記第一スライドブロックの頂端には第一連結ロッドが固定的に設置されており、
前記固定ブロックの下側にはスライドブロックが設置され、前記スライドブロックの中には第二スライド溝が形成され、前記第二スライド溝の中は接着剤装丁機構を含み、前記第二スライド溝の中には第二スライドブロックがスライドできるように設置され、前記第二スライドブロックの後端と前記第二スライド溝の後端面との間にはばねが連結され、前記第二スライドブロックの中には第三スライド溝が形成され、前記第三スライド溝の中には左右対称となった第三スライドブロックがスライドできるように設置され、前記第三スライドブロックには第二ラックが設置され、前記第三スライドブロックの外端には第二連結ロッドが固定的に設置され、前記第二連結ロッドには加熱ブロックが固定的に設置され、前記第三スライド溝の中には第三回転軸が回転できるように設置され、前記第三回転軸には前記第二ラックと噛み合った第三歯車が固定的に設置され、前記第三歯車の外側の前記第三回転軸には第一摩擦輪が固定的に設置されている。
【０００７】
更に、前記第一連結ロッドには第三ラックが固定的に設置され、前記第一連結ロッドの左側には第四回転軸が設置され、前記第四回転軸には第一扇状歯車が固定的に設置され、前記第一扇状歯車の前段には第四歯車が固定的に設置され、前記第一連結ロッドの右側には第五回転軸が設置され、前記第五回転軸には第二扇状歯車が固定的に設置され、前記第二扇状歯車の前部には第五歯車が固定的に設置され、前記第五歯車と前記第四歯車との間には伝動チェーンが回転できるように設置され、前記第一扇状歯車と、前記第二扇状歯車が前記第三ラックと噛み合うことができ、前記第一スライドブロックと前記第二スライドブロックとの間には線が連結されている。
【０００８】
更に、前記スライドブロックの下側の前記作業空間の底端壁には置き溝が形成され、前記置き溝の中には接着剤棒が設置され、前記作業空間の前端壁には紙入り口が設置され、前記紙入り口の頂端壁には第六回転軸が回転できるように設置され、前記第六回転軸の底端には押し輪が固定的に設置され、前記第六回転軸にはおねじが設置され、前記紙入り口の頂端壁にはめねじが設置され、前記第六回転軸の頂端には回転輪が固定的に設置されている。
【０００９】
更に、前記作業空間の右端壁には伝動空間が設置され、前記伝動空間の中には第七回転軸が設置され、前記第七回転軸の右側には第三傘歯車が設置され、前記第七回転軸の左端には第二摩擦輪が設置され、前記第二摩擦輪が前記第一摩擦輪と摩擦できるように連結されている。
【００１０】
更に、前記伝動空間の後端壁にはモータが設置され、前記モータの前端面には第八回転軸が設置され、前記第八回転軸の前部には前記第三傘歯車と噛み合った第四傘歯車が固定的に設置され、前記第八回転軸の後側には第六歯車が設置され、前記第五回転軸の後端には第七歯車が設置され、前記第七歯車と前記第六歯車との間には連結チェーンが回転できるように設置されている。
【発明の効果】
【００１１】
本願発明の有益的な効果は：本願発明は構造が簡単であり、操作が便利であり、本願発明は接着剤装丁の必要のある紙を先に自動的に穴を開け、そして穴の中に接着剤板を追加し、穴を開けた後、本願発明は加熱ブロックにより接着剤棒に紙を装丁させ、使用とページめくりに便利を与え、本願発明は構造が緊密であり、高い一体化程度を持つ。
【図面の簡単な説明】
【００１２】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本願発明の実施例の構造概略図
【図２】図２は図１のＡ―Ａの構造概略図
【図３】図３は図１のＢ―Ｂの構造概略図
【図４】図４は図１のＣ―Ｃの構造概略図
【図５】図５は図１のＤ―Ｄの構造概略図
【発明を実施するための形態】
【００１４】
図１〜５を参照し、紙装丁自動融合設備は、本体１０を含み、前記本体１０は作業空間１１を含み、前記作業空間１１の中は固定ブロック２２を含み、前記固定ブロック２２の中には第一スライド溝２１が形成され、前記第一スライド溝２１の中は装丁機構９０を含み、前記第一スライド溝２１の中には第一スライドブロック６８がスライドできるように設置され、前記第一スライドブロック６８の左側には第一開口溝２３が形成され、前記第一開口溝２３の中には第一回転軸２５が設置され、前記第一回転軸２５には第一歯車２４が設置され、前記第一歯車２４の後側の前記第一スライド溝２１の後端壁には前記第一歯車２４と噛み合った第一ラック２６が固定的に設置され、前記第一スライドブロック６８の中には連動空間４７が設置され、前記連動空間４７の中に位置した前記第一回転軸２５には第一傘歯車４６が設置され、前記連動空間４７の中には第二回転軸６９が設置され、前記連動空間４７の中に位置した前記第二回転軸６９には前記第一傘歯車４６と噛み合った第二傘歯車４８が固定的に設置され、前記第一スライドブロック６８の底端壁には三つの外部連結ブロック２７が固定的に設置され、前記外部連結ブロック２７の中には第二開口溝４５が形成され、前記第二開口溝４５の中に位置した前記第二回転軸６９には第二歯車４４が固定的に設置され、三つの前記第二歯車４４の間にはチェーン２８が回転できるように設置され、前記第二回転軸６９の底端にはドリル４３が固定的に設置され、前記第一スライドブロック６８の頂端には第一連結ロッド１５が固定的に設置されており、
前記固定ブロック２２の下側にはスライドブロック３０が設置され、前記スライドブロック３０の中には第二スライド溝５１が形成され、前記第二スライド溝５１の中は接着剤装丁機構９１を含み、前記第二スライド溝５１の中には第二スライドブロック２９がスライドできるように設置され、前記第二スライドブロック２９の後端と前記第二スライド溝５１の後端面との間にはばね５７が連結され、前記第二スライドブロック２９の中には第三スライド溝５２が形成され、前記第三スライド溝５２の中には左右対称となった第三スライドブロック５３がスライドできるように設置され、前記第三スライドブロック５３には第二ラック４９が設置され、前記第三スライドブロック５３の外端には第二連結ロッド５０が固定的に設置され、前記第二連結ロッド５０には加熱ブロック３５が固定的に設置され、前記第三スライド溝５２の中には第三回転軸５６が回転できるように設置され、前記第三回転軸５６には前記第二ラック４９と噛み合った第三歯車５４が固定的に設置され、前記第三歯車５４の外側の前記第三回転軸５６には第一摩擦輪５５が固定的に設置されている。
【００１５】
前記第一連結ロッド１５には第三ラック１６が固定的に設置され、前記第一連結ロッド１５の左側には第四回転軸２０が設置され、前記第四回転軸２０には第一扇状歯車１８が固定的に設置され、前記第一扇状歯車１８の前段には第四歯車１９が固定的に設置され、前記第一連結ロッド１５の右側には第五回転軸１２が設置され、前記第五回転軸１２には第二扇状歯車１４が固定的に設置され、前記第二扇状歯車１４の前部には第五歯車１３が固定的に設置され、前記第五歯車１３と前記第四歯車１９との間には伝動チェーン１７が回転できるように設置され、前記第一扇状歯車１８と、前記第二扇状歯車１４が前記第三ラック１６と噛み合うことができ、前記第一スライドブロック６８と前記第二スライドブロック２９との間には線４２が連結されている。
【００１６】
前記スライドブロック３０の下側の前記作業空間１１の底端壁には置き溝３２が形成され、前記置き溝３２の中には接着剤棒３３が設置され、前記作業空間１１の前端壁には紙入り口６７が設置され、前記紙入り口６７の頂端壁には第六回転軸６５が回転できるように設置され、前記第六回転軸６５の底端には押し輪６６が固定的に設置され、前記第六回転軸６５にはおねじ６３が設置され、前記紙入り口６７の頂端壁にはめねじ６４が設置され、前記第六回転軸６５の頂端には回転輪６２が固定的に設置されている。
【００１７】
前記作業空間１１の右端壁には伝動空間３６が設置され、前記伝動空間３６の中には第七回転軸３９が設置され、前記第七回転軸３９の右側には第三傘歯車４１が設置され、前記第七回転軸３９の左端には第二摩擦輪４０が設置され、前記第二摩擦輪４０が前記第一摩擦輪５５と摩擦できるように連結され、前記伝動空間３６の後端壁にはモータ６１が設置され、前記モータ６１の前端面には第八回転軸３８が設置され、前記第八回転軸３８の前部には前記第三傘歯車４１と噛み合った第四傘歯車３７が固定的に設置され、前記第八回転軸３８の後側には第六歯車７０が設置され、前記第五回転軸１２の後端には第七歯車５９が設置され、前記第七歯車５９と前記第六歯車７０との間には連結チェーン６０が回転できるように設置されている。
【００１８】
作動状態：
装丁待ちの紙を前記紙入り口６７から本願発明に入れ、手動で前記回転輪６２を旋転させ、前記回転輪６２が旋転して前記第六回転軸６５を回転させ、前記第六回転軸６５が回転して前記めねじ６４と前記おねじ６３との噛合により前記押し輪６６を旋転させて下降させて紙を挟み、
前記モータ６１を始動し、前記モータ６１が前記第八回転軸３８を回転させ、前記第八回転軸３８が回転して前記第六歯車７０を回転させ、前記第六歯車７０が回転して前記連結チェーン６０により前記第七歯車５９を回転させ、前記第七歯車５９が回転して前記第五回転軸１２を回転させ、前記第五回転軸１２が回転して前記第五歯車１３を回転させ、前記第五歯車１３が回転して前記伝動チェーン１７により前記第四歯車１９を回転させ、前記第四歯車１９が回転して前記第四回転軸２０を回転させ、前記第四回転軸２０が回転して前記第一扇状歯車１８を回転させ、前記第五回転軸１２が回転して前記第二扇状歯車１４を回転させ、前記第一扇状歯車１８が前記第三ラック１６と噛み合うとき前記第一連結ロッド１５を下方へ移動させ、前記第二扇状歯車１４が前記第三ラック１６と噛み合うとき前記第一連結ロッド１５を上方へ移動させ、
前記第一連結ロッド１５が下方へ移動するとき、前記第一連結ロッド１５が前記第一スライドブロック６８を下方へスライドさせ、前記第一スライドブロック６８が下方へスライドして前記第一ラック２６と前記第一歯車２４との協働により前記第一回転軸２５を回転させ、前記第一回転軸２５が回転して前記第一傘歯車４６を回転させ、前記第一傘歯車４６が回転して前記第二傘歯車４７により前記第二回転軸６９を回転させ、前記第二回転軸６９が回転して前記第二歯車４４と前記チェーン２８により左右両側の前記第二回転軸６９を回転させ、前記第二回転軸６９が回転して前記ドリル４３を回転させ、前記ドリル４３が回転して前記第一スライドブロック６８とともに下方へ移動して紙に穴を開け、前記ドリル４３が最底端まで下降したとき、前記第二扇状歯車１４が前記第三ラック１６と噛み合い、このとき前記第一スライドブロック６８が上方へ移動し、このとき前記ドリル４３が前記置き溝３２の中の前記接着剤棒３３を引掛って前記接着剤棒３３を上方へ移動させ、前記接着剤棒３３が紙を通し、
前記第一スライドブロック６８が上方へスライドして前記線４２により前記第二スライドブロック２９を前方へスライドさせ、前記第八回転軸３８が回転して前記第四傘歯車３７により前記第三傘歯車４１を回転させ、前記第三傘歯車４１が回転して前記第七回転軸３９を回転させ、前記第七回転軸３９が回転して前記第二摩擦輪４０を回転させ、前記第二スライドブロック２９が前方へ移動するとき、前記第二摩擦輪４０が前記第一摩擦輪５５と接触して前記第一摩擦輪５５を回転させ、前記第一摩擦輪５５が回転して前記第三回転軸５６により前記第三歯車５４を回転させ、前記第三歯車５４が回転して前記第二ラック４９との協働により前記第三スライドブロック５３を内部へスライドさせ、前記第三スライドブロック５３が内部へスライドして前記第二連結ロッド５０により前記加熱ブロック３５を内部へ移動させ、このとき前記加熱ブロック３５が起動されて前記接着剤棒３３を柔らかくして紙を装丁する。
【００１９】
以上に述べたのはただ本願発明の具体的な実施方式で、しかし本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】
【課題】本発明は紙装丁自動融合設備を開示した。
【解決手段】
本体を含み、前記本体は作業空間を含み、前記作業空間の中は固定ブロックを含み、前記固定ブロックの中には第一スライド溝が形成され、前記第一スライド溝の中は装丁機構を含み、前記第一スライド溝の中には第一スライドブロックがスライドできるように設置され、前記第一スライドブロックの左側には第一開口溝が形成され、前記第一開口溝の中には第一回転軸が設置され、前記第一回転軸には第一歯車が設置され、前記第一歯車の後側の前記第一スライド溝の後端壁には前記第一歯車と噛み合った第一ラックが固定的に設置され、前記第一スライドブロックの中には連動空間が設置され、前記連動空間の中に位置した前記第一回転軸には第一傘歯車が設置され、前記連動空間の中には第二回転軸が設置されている。
【選択図】図１【図１】
0006823772.tif 000002
【図２】
0006823772.tif 000003
【図３】
0006823772.tif 000004
【図４】
0006823772.tif 000005
【図５】
0006823772.tif 000006